(57)【特許請求の範囲】
【請求項１】
ナビゲーション用データを格納するデータ格納部と、
前記データ格納部に格納されているナビゲーション用データの更新に使用される更新用データおよびナビゲーション用データのうちの更新対象となる対象データを指定するための更新情報を格納する更新データ格納部と、
前記更新データ格納部から取得された更新情報を格納する更新情報格納部と、
前記更新情報格納部から取得した更新情報によって指定される対象データを更新するための更新用データを前記更新データ格納部から取得し、該取得した更新用データに基づき前記データ格納部に格納されている対象データを更新する更新データ処理部と、
前記更新データ処理部における対象データの更新とは独立して、前記更新データ格納部から取得した更新用データに基づきナビゲーション機能を実行するナビゲーション処理部
とを備え、
前記ナビゲーション処理部は、前記更新データ処理部における前記対象データの更新とは独立して、前記更新データ格納部から取得した前記更新用データに基づきナビゲーション機能を実行し、かつ、該更新用データに基づき前記データ格納部に格納されている対象データを更新する
ことを特徴とするデータ更新装置。
【請求項２】
更新データ処理部における対象データの更新中は、その旨を表示する表示部
を備えたことを特徴とする請求項１記載のデータ更新装置。
【発明の詳細な説明】
【技術分野】
【０００１】
この発明は、ナビゲーション装置に保持されているナビゲーション用データを更新するデータ更新装置に関し、特に、ナビゲーション用データの更新中であってもナビゲーション機能を使用可能にする技術に関する。
【背景技術】
【０００２】
ナビゲーション装置に保持されているデータ（地図データ、施設データまたはプログラムなど）は、定期的または適宜のタイミングで更新する必要がある。従来のナビゲーション装置においては、データの更新中は、全てのナビゲーション機能の使用を禁止し、または、更新中のデータに係るナビゲーション機能の使用を禁止することが行われている。
【０００３】
例えば、特許文献１は、書き換え可能な地図データ格納装置に格納されている地図データの更新中であってもナビゲーション機能を使用できる地図データ更新装置を開示している。この地図データ更新装置は、現在のナビゲーションに関係ない地域のデータを更新の対象とするので、地図データの更新中であってもナビゲーション機能を使用できる。
【０００４】
また、特許文献２は、地図データを更新する際に、更新地図データを地図データ格納手段の空き領域から書き始めることにより、ナビゲーション機能を使用しつつ地図データの更新を可能とするナビゲーションシステムを開示している。このナビゲーションシステムは、データ格納領域の空き容量が十分に存在することを利用し、その空き領域に更新用のデータを全て展開し、展開が全て完了した時点で新しいデータに切り替える。
【０００５】
【特許文献１】特開２００５−３３１２７８号公報
【特許文献２】特開２００６−１７０６６０号公報
【発明の開示】
【発明が解決しようとする課題】
【０００６】
しかしながら、特許文献１に開示された技術では、ナビゲーションの条件を変更しないことが前提となっており、仮に、ユーザが違う地点へのナビゲーションを指示した場合は、更新状況によってはナビゲーションできない状況が発生する。
【０００７】
また、特許文献２に開示された技術では、更新前のデータと更新後のデータとが共存できるような大容量の記憶領域が存在しない場合は実現できないため、記憶領域を確保するために余計なコストが必要になり現実的ではない。
【０００８】
この発明は、上述した問題を解消するためになされたものであり、その課題は、ナビゲーション機能の使用を禁止または制限することなくデータ更新を行うことができる安価なデータ更新装置を提供することにある。
【課題を解決するための手段】
【０００９】
この発明に係るデータ更新装置は、上記課題を解決するために、ナビゲーション用データを格納するデータ格納部と、データ格納部に格納されているナビゲーション用データの更新に使用される更新用データおよびナビゲーション用データのうちの更新対象となる対象データを指定するための更新情報を格納する更新データ格納部と、更新データ格納部から取得された更新情報を格納する更新情報格納部と、更新情報格納部から取得した更新情報によって指定される対象データを更新するための更新用データを更新データ格納部から取得し、該取得した更新用データに基づきデータ格納部に格納されている対象データを更新する更新データ処理部と、更新データ処理部における対象データの更新とは独立して、更新データ格納部から取得した更新用データに基づきナビゲーション機能を実行するナビゲーション処理部とを備え、ナビゲーション処理部は、更新データ処理部における対象データの更新とは独立して、更新データ格納部から取得した更新用データに基づきナビゲーション機能を実行し、かつ、該更新用データに基づきデータ格納部に格納されている対象データを更新することを特徴とする。
【発明の効果】
【００１０】
この発明に係るデータ更新装置によれば、更新データ処理部における対象データの更新とは独立して、該更新用データに基づきナビゲーション処理部によってナビゲーション機能を実行するように構成したので、ナビゲーション機能の使用を禁止または制限することがなくデータ更新を行うことができる。また、データ更新の開始直後から更新されたナビゲーション用データを用いることができるので、ユーザは、更新完了を待たずに新しいナビゲーション用データを利用することができる。また、更新用データを有効に活用することができ、制御装置の処理不可を軽減することができる。
【発明を実施するための最良の形態】
【００１１】
以下、この発明の実施の形態を、図面を参照しながら詳細に説明する。
実施の形態１．
図１は、この発明の実施の形態１に係るデータ更新装置の構成を示すブロック図である。このデータ更新装置は、ナビゲーション装置の一部として実現される。データ更新装置は、制御装置１、データ格納部２、更新データ格納部３および表示部４を備えている。
【００１２】
制御装置１は、例えばマイクロコンピュータから構成されており、データ更新装置の全体を制御する。例えば、制御装置１は、更新データ格納部３から読み出した更新用データに基づき、データ格納部２に格納されているナビゲーション用データを更新する。この制御装置１の詳細は後述する。
【００１３】
データ格納部２は、例えばＨＤＤ（Ｈａｒｄ  Ｄｉｓｋ  Ｄｒｉｖｅ）から構成されており、地図データ、施設データおよびプログラムといった種々のナビゲーション用データを格納している。このデータ格納部２へのナビゲーション用データの書き込み、および、読み出しは、制御装置１によって高速に行われる。
【００１４】
更新データ格納部３は、例えばＣＤ−ＲＯＭ（Ｃｏｍｐａｃｔ  Ｄｉｓｃ−Ｒｅａｄ  Ｏｎｌｙ  Ｍｅｍｏｒｙ）またはＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）などから構成されており、ナビゲーション用データを更新するための更新用データを格納している。この更新データ格納部３に格納されている更新用データは、制御装置１によって読み出される。この更新データ格納部３からの更新用データの読み出し速度は、一般に、データ格納部２からのナビゲーション用データの読み出し速度に較べて遅い。
【００１５】
表示部４は、例えば液晶ディスプレイ装置から構成されている。この表示部４は、制御装置１から送られてくる表示データにしたがって、ナビゲーション機能を実現するための種々の情報（地図、自車位置マーク、目的地までの経路など）を表示するとともに、データ更新の状況、具体的には、ナビゲーション用データの更新中であるかどうかを表示する。
【００１６】
次に、制御装置１の詳細を説明する。制御装置１は、プログラムによって構成されたデータ処理管理部１０および更新データ処理部１１と、メモリ（図示は省略する）に設けられた更新情報格納部１２とを備えている。
【００１７】
データ処理管理部１０は、この発明のナビゲーション処理部に対応する。このデータ処理管理部１０は、ナビゲーション機能またはオーディオ機能などを管理する。例えば、このデータ処理管理部１０は、データ格納部２から取得したナビゲーション用データ、または、更新データ処理部１１から更新データ処理部１１を介して取得した更新用データを展開することにより得られたデータ（詳細は後述する）および更新情報格納部１２から取得した更新情報に基づきナビゲーション機能を実行する。このデータ処理管理部１０で行われる処理の詳細は後述する。
【００１８】
更新データ処理部１１は、データ格納部２に格納されているナビゲーション用データを、更新データ格納部３から読み出した更新用データと更新情報格納部１２から読み出した更新情報とにしたがって更新する。また、更新データ処理部１１は、データ処理管理部１０との間で種々のデータを送受する。この更新データ処理部１１で行われる処理の詳細は後述する。
【００１９】
更新情報格納部１２は、データ格納部２に格納されているナビゲーション用データのうちの更新対象となるデータ（以下、「対象データ」という）を指定するための更新情報を格納する。この更新情報格納部１２に格納されている更新情報は、データ処理管理部１０および更新データ処理部１１によって読み出される。
【００２０】
次に、上記のように構成される、この発明の実施の形態１に係るデータ更新装置の動作を、図２に示すフローチャートを参照しながら説明する。
【００２１】
このデータ更新装置で行われる処理は、主に更新データ処理部１１で行われるナビゲーション用データを更新するデータ更新処理（この発明の「更新データ処理部」に対応する）と、主にデータ処理管理部１０で行われるナビゲーション機能を実現するためのナビゲーション処理（この発明の「ナビゲーション処理部」に対応する）とから構成されている。これらデータ更新処理およびナビゲーション処理はマルチタスク処理などにより実現されており、両者は独立して同時に（並列に）実行される。
【００２２】
データ更新処理では、図２（ａ）に示すように、まず、更新が必要なデータの情報（更新情報）が取得される（ステップＳＴ１０）。すなわち、更新データ処理部１１は、更新データ格納部３から、ナビゲーション用データのうちの更新対象となる対象データを指定した更新情報を取得する。次いで、更新情報の設定が行われる（ステップＳＴ１１）。すなわち、更新データ処理部１１は、ステップＳＴ１０で取得した更新情報を、更新情報格納部１２に格納する。以下、この更新情報に基づきナビゲーション用データの更新が行われる。
【００２３】
次いで、更新データ展開および復号化が行われる（ステップＳＴ１４）。すなわち、更新データ処理部１１は、更新データ格納部３から更新用データを読み出す。そして、この読み出した更新用データが圧縮または暗号化されている場合は、それを復号化してナビゲーション機能で取り扱うことができる形式のデータに展開する。
【００２４】
次いで、本体内データの更新が行われる（ステップＳＴ１５）。すなわち、更新データ処理部１１は、ステップＳＴ１４で展開されたデータを、本体内のデータ格納部２に格納されているナビゲーション用データに反映させて更新を行なう。次いで、更新情報の更新が行われる（ステップＳＴ１６）。すなわち、更新データ処理部１１は、更新情報格納部１２に格納されている更新情報を更新する。具体的には、更新情報の中の対象データのうち、更新が終了した対象データに、更新が終了した旨をマーキングする。
【００２５】
次いで、更新が終了であるかどうかが調べられる（ステップＳＴ１７）。すなわち、更新データ処理部１１は、更新情報格納部１２に格納されている更新情報の中に未更新の対象データが存在するかどうかを調べる。このステップＳＴ１７において、更新が終了であることが判断されると、つまり、更新情報の中に未更新の対象データが存在しないことが判断されると、データ更新処理は終了する。
【００２６】
一方、ステップＳＴ１７において、更新が終了でないことが判断されると、つまり、更新情報の中に未更新の対象データが存在することが判断されると、更新対象が次のデータに設定される（ステップＳＴ１８）。すなわち、更新データ処理部１１は、次の未更新の対象データを更新するための準備を行う。その後、シーケンスは、ステップＳＴ１４に戻り、上述した処理が繰り返される。
【００２７】
上記データ更新処理とは独立して並行に、ナビゲーション処理が行われる。ナビゲーション処理においては、図２（ｂ）に示すように、まず、対象データの更新中であるかどうかが調べられる（ステップＳＴ２０）。すなわち、データ処理管理部１０は、更新情報格納部１２から更新情報を取得し、この取得した更新情報に未更新の対象データが含まれているかどうかを調べる。
【００２８】
このステップＳＴ２０において、対象データの更新中でない、つまり更新情報に未更新の対象データが含まれないことが判断されると、データ更新時ではない通常時の動作であって、データ更新処理は実行されていないと認識され、本体内データが参照される（ステップＳＴ２１）。すなわち、データ処理管理部１０は、データ格納部２に格納されているナビゲーション用データの更新中ではないので、そのナビゲーション用データを用いてナビゲーション機能を実行する。その後、ナビゲーション処理は終了する。
【００２９】
上記ステップＳＴ２０において、対象データの更新中である、つまり更新情報に未更新の対象データが含まれていることが判断されると、データ更新時の動作であると認識され、更新データ展開および復号化が行われる（ステップＳＴ１４ａ）。すなわち、データ処理管理部１０は、更新データ格納部３から読み出された更新用データを、更新データ処理部１１を介して取得する。そして、この取得した更新用データが圧縮または暗号化されている場合は、それを復号化してナビゲーション機能で取り扱うことができる形式のデータに展開する。
【００３０】
次いで、展開データが参照される（ステップＳＴ２２）。すなわち、データ処理管理部１０は、データ格納部２に格納されているナビゲーション用データは更新中である可能性があるので、そのナビゲーション用データを用いずに、ステップＳＴ１４ａで展開されたデータを用いてナビゲーション機能を実行する。その後、ナビゲーション処理は終了する。
【００３１】
以上説明したように、この発明の実施の形態１に係るデータ更新装置によれば、以下の効果を奏する。すなわち、従来のデータ更新装置においては、ナビゲーション機能を実現するためのナビゲーション用データが更新中である場合は、そのナビゲーション用データの使用を禁止するなどしているが、この実施の形態１に係るデータ更新装置では、データ更新処理で行われる更新データ展開および復号化（ステップＳＴ１４）と同様の処理（ステップＳＴ１４ａ）により、更新データ格納部３から必要なデータの更新版が探し出されて復号化される。そして、ステップＳＴ２２において、その復号化されたデータがナビゲーション用データとして使用される。この処理により、ステップＳＴ１４ａの処理に要する時間の分だけレスポンスは遅くなるが、ユーザに対しては機能を制限することなく、最新のナビゲーション用データによる動作を提供できる。
【００３２】
実施の形態２．
この発明の実施の形態２に係るデータ更新装置は、ナビゲーション処理において更新データの展開および復号化した場合は、その展開および複合化によって得られたデータを用いてデータ格納部２に格納されているナビゲーション用データを更新するようにしたものである。
【００３３】
この発明の実施の形態２に係るデータ更新装置の構成は、図１に示した実施の形態１に係るデータ更新装置の構成と同じである。
【００３４】
次に、実施の形態２に係るデータ更新装置の動作を、図３に示すフローチャートを参照しながら説明する。なお、以下においては、実施の形態１に係るデータ更新装置の動作を表す図２のフローチャートに示した処理と同一または相当する処理を行うステップには、図２で使用した符号と同一の符号を付して説明を省略または簡略化する。
【００３５】
図３（ａ）に示すデータ更新処理は、図２（ａ）に示した実施の形態１に係るデータ更新装置で行われるデータ更新処理と同じである。
【００３６】
上記データ更新処理とは独立して並行に、ナビゲーション処理が行われる。ナビゲーション処理においては、図３（ｂ）に示すように、まず、対象データの更新中であるかどうかが調べられる（ステップＳＴ２０）。このステップＳＴ２０において、対象データの更新中でないことが判断されると、データ更新時ではない通常時の動作であって、データ更新処理は実行されていないと認識され、本体内データが参照される（ステップＳＴ２１）。その後、ナビゲーション処理は終了する。
【００３７】
上記ステップＳＴ２０において、対象データの更新中であることが判断されると、データ更新時の動作であると認識され、更新データ展開および復号化が行われる（ステップＳＴ１４ａ）。すなわち、データ処理管理部１０は、更新データ格納部３から読み出された更新用データを、更新データ処理部１１を介して取得する。そして、この取得した更新用データが圧縮または暗号化されている場合は、それを復号化してナビゲーション機能で取り扱うことができる形式のデータに展開する。
【００３８】
次いで、本体内データの更新が行われる（ステップＳＴ１５ａ）。すなわち、データ処理管理部１０は、ステップＳＴ１４ａで展開されたデータを、更新データ処理部１１を介して、本体内のデータ格納部２に格納されているナビゲーション用データに反映させて更新を行なう。
【００３９】
次いで、更新情報の更新が行われる（ステップＳＴ１６ａ）。すなわち、データ処理管理部１０は、更新情報格納部１２に格納されている更新情報を更新する。具体的には、更新情報の中の対象データのうち、更新が終了した対象データに、更新が終了した旨をマーキングする。その後、シーケンスはステップＳＴ２１に進む。したがって、ステップＳＴ２１においては、更新された後のナビゲーション用データを用いてナビゲーション機能が実行され、その後、ナビゲーション処理は終了する。
【００４０】
以上説明したように、この発明の実施の形態２に係るデータ更新装置によれば、ナビゲーション処理において更新データの展開および復号化が行われた場合は、それによって得られたデータを用いてデータ格納部２に格納されているナビゲーション用データを更新するように構成したので、ナビゲーション処理で展開されたデータが、データ更新処理で再度展開されることは無くなる。その結果、展開されたデータを有効に活用することができ、制御装置１の処理負荷を軽減させることができる。
【００４１】
なお、上述した実施の形態２に係るデータ更新装置においては、展開されたデータを用いてデータ格納部２に格納されているナビゲーション用データを更新した後に、このデータ格納部２の中のナビゲーション用データを用いてナビゲーション機能を実行するように構成したが、展開されたデータをそのまま用いてナビゲーション機能を実行するように構成することもできる。
【００４２】
実施の形態３．
上述した実施の形態２に係るデータ更新装置においては、更新データの展開をデータ更新処理およびナビゲーション処理の両方で行うように構成したが、この発明の実施の形態３に係るデータ更新装置は、更新データの展開をデータ更新処理でのみ行うようにしたものである。
【００４３】
この発明の実施の形態３に係るデータ更新装置の構成は、図１に示した実施の形態１に係るデータ更新装置の構成と同じである。
【００４４】
図４は、更新情報格納部１２に更新情報として格納されるデータ更新リストを示す図である。このデータ更新リストは、データ更新リクエスト部と予約データ更新リストとから構成されている。データ更新リクエスト部には、ナビゲーション処理によって、対象データが更新順位の高い方から順に格納される。予約データ更新リストには、上述したように、更新データ格納部３から読み出した、データ格納部２に格納されているナビゲーション用データのうちの更新対象となる対象データが更新順位に従って格納される。各対象データは、完了フラグによって更新済みであるかどうかが示される。
【００４５】
次に、実施の形態３に係るデータ更新装置の動作を、図５に示すフローチャートを参照しながら説明する。なお、以下においては、実施の形態１に係るデータ更新装置の動作を表す図２のフローチャートに示した処理と同一または相当する処理を行うステップには、図２で使用した符号と同一の符号を付して説明を省略または簡略化する。
【００４６】
図５（ａ）に示すデータ更新処理は、図２（ａ）に示した実施の形態１に係るデータ更新装置で行われるデータ更新処理にステップＳＴ１２およびステップＳＴ１３の処理が追加されて構成されている。
【００４７】
データ更新処理では、まず、更新が必要なデータの情報（更新情報）が取得される（ステップＳＴ１０）。次いで、更新情報の設定が行われる（ステップＳＴ１１）。次いで、更新リクエストがあるかどうかが調べられる（ステップＳＴ１２）。すなわち、更新データ処理部１１は、データ処理管理部１０で実行されるナビゲーション処理から、対象データを伴った更新リクエストがあるかどうかを調べる。このステップＳＴ１２において、更新リクエストがないことが判断されると、シーケンスはステップＳＴ１４に進む。
【００４８】
一方、ステップＳＴ１２において、更新リクエストがあることが判断されると、リクエストされた対象データがデータ更新リストのデータ更新リクエスト部の先頭に追加される（ステップＳＴ１３）。すなわち、更新データ処理部１１は、更新情報格納部１２に更新情報として格納されているデータ更新リストのデータ更新リクエスト部の先頭に、更新リクエストに伴ってナビゲーション処理から送られてくる対象データを格納する。その後、シーケンスはステップＳＴ１４に進む。
【００４９】
次いで、更新データ展開および復号化が行われる（ステップＳＴ１４）。すなわち、更新データ処理部１１は、更新情報格納部１２に格納されているデータ更新リストの完了フラグが「未」に設定されている対象データを更新順位の高いものから順に検索し、検索された対象データに対応する更新用データを、更新データ格納部３から読み出す。そして、この読み出した更新用データが圧縮または暗号化されている場合は、それを復号化してナビゲーション機能で取り扱うことができる形式のデータに展開する。
【００５０】
次いで、本体内データの更新が行われる（ステップＳＴ１５）。次いで、更新情報の更新が行われる（ステップＳＴ１６）。次いで、更新が終了であるかどうかが調べられる（ステップＳＴ１７）。このステップＳＴ１７において、更新が終了であることが判断されると、データ更新処理は終了する。一方、ステップＳＴ１７において、更新が終了でないことが判断されると、更新対象が次のデータに設定される（ステップＳＴ１８）。その後、シーケンスは、ステップＳＴ１４に戻り、上述した処理が繰り返される。
【００５１】
上記データ更新処理とは独立して並行に、ナビゲーション処理が行われる。ナビゲーション処理においては、図５（ｂ）に示すように、まず、対象データの更新中であるかどうかが調べられる（ステップＳＴ２０）。このステップＳＴ２０において、対象データの更新中でないことが判断されると、データ更新時ではない通常時の動作であると認識され、データ更新処理は実行されていないので、本体内データが参照される（ステップＳＴ２１）。
【００５２】
一方、ステップＳＴ２０において、対象データの更新中であることが判断されると、データ更新時の動作であると認識され、次いで、対象データの更新リクエストが行われる（ステップＳＴ２３）。すなわち、データ処理管理部１０は、ナビゲーション機能を実行するために使用するナビゲーション用データを対象データとして伴って、更新リクエストを更新データ処理部１１に送る。
【００５３】
次いで、対象データの更新が完了したかどうかを調べる（ステップＳＴ２４）。すなわち、データ処理管理部１０は、更新情報格納部１２からデータ更新リストを読み出し、先に更新リクエストを行った対象データの完了フラグが「済」になったかどうかを調べる。このステップＳＴ２４において、対象データの更新が完了していないことが判断されると、このステップＳＴ２４を繰り返し実行しながら待機する。そして、対象データの更新が完了したことが判断されると、シーケンスはステップＳＴ２１に進む。したがって、ステップＳＴ２１においては、更新された後のナビゲーション用データを用いてナビゲーション機能が実行され、その後、ナビゲーション処理は終了する。
【００５４】
上述した処理により、図４に示す更新情報格納部１２内のデータ更新リストが更新される状態を説明する。今、図４（ａ）に示すように、データ更新リストは、データ更新が開始され、地図データ（エリアＡ）の更新が終了しているものとする。この状態で、ナビゲーション処理において、エリアＤの地図データにアクセスしたい場合、エリアＤの地図データは予約データ更新リストにエントリされているため、ナビゲーション処理では、エリアＤの地図データの更新を優先するように、図４（ｂ）に示すように、データ更新リストのデータ更新リクエスト部に、エリアＤの地図データを対象データとして登録する。
【００５５】
データ更新リクエスト部にリクエストが存在する場合は、そのリクエストされた対象データを優先的に更新する処理が行われ、更新が完了したら、図４（ｃ）に示すように、データ更新リクエスト部および予約データ更新リストの該当する完了フラグが「済」に設定される。
【００５６】
以上説明したように、この発明の実施の形態３に係るデータ更新装置によれば、更新データ展開および複合化（ステップＳＴ１４）、本体内データ更新（ステップＳＴ１５）および更新情報の更新（ステップＳＴ１６）は、データ更新処理のみで行われ、ナビゲーション処理では行われないので、プログラムを簡略化することができる。
【００５７】
なお、上述した実施の形態１〜実施の形態３に係るデータ更新装置においては、データの更新中は、更新データを直接参照して展開するためにレスポンスの低下が予想されるが、この状況をユーザも把握できるように、表示部４に対し、更新データを直接参照していることを示すマークなどを表示するように構成することができる。この構成によれば、ユーザは、ナビゲーション機能が低下（処理速度が遅くなる）しても、その原因を知ることができるので、故障した場合と区別することができる。
【００５８】
また、レスポンスにリアルタイム性が要求されるデータと、そうでないデータとを分け、リアルタイム性が要求されないデータの更新のみを更新の対象とするように構成することができる。この構成は、図６に示すフローチャートにより実現することができる。すなわち、ナビゲーション処理においては、最初に、実行しようとしている処理が、リアルタイム性が要求される処理であるかどうかを判別し（ステップＳＴ３０）、リアルタイム性が要求される場合には、シーケンスはステップＳＴ２１に進み、データ格納部２に格納されているナビゲーション用データを用いてナビゲーション機能を実現する。この構成によれば、最新のナビゲーション用データを用いてナビゲーション機能を実行することはできないが、更新データの展開は行われないので高速処理が可能になり、リアルタイム性が要求される機能が阻害されることはない。
【図面の簡単な説明】
【００５９】
【図１】この発明の実施の形態１に係るデータ更新装置の構成を示すブロック図である。
【図２】この発明の実施の形態１に係るデータ更新装置の動作を示すフローチャートである。
【図３】この発明の実施の形態２に係るデータ更新装置の動作を示すフローチャートである。
【図４】この発明の実施の形態３に係るデータ更新装置において使用される更新情報としてのデータ更新リストの例を示す図である。
【図５】この発明の実施の形態３に係るデータ更新装置の動作を示すフローチャートである。
【図６】この発明の実施の形態３に係るデータ更新装置の変形例の動作を示すフローチャートである。
【符号の説明】
【００６０】
１  制御装置、２  データ格納部、３  更新データ格納部、４  表示部、１０  データ処理管理部、１１  更新データ処理部、１２  更新情報格納部。
【図１】
0004969346.tif 000002
【図２】
0004969346.tif 000003
【図３】
0004969346.tif 000004
【図４】
0004969346.tif 000005
【図５】
0004969346.tif 000006
【図６】
0004969346.tif 000007